(57)【要約】      （修正有）【課題】釣り竿を斜め下方から上方まで自由な角度で保持することができ、段差のある足場の悪い場所にも容易に設置することができる釣り竿保持具を提供する。【解決手段】互いに対向する第一の立板１２及び第二の立板１４が、各々内方向に折り曲げ可能に連結部材１６に軸着されている。第一及び第二の立板１２，１４には、連結部材１６に軸着された軸着端１２ａ，１４ａと互いに対向する受端面１２ｂ，１４ｂに、その一部を切り込んで竿受け溝２０，２６が設けられている。竿受け溝２０，２６には、その切り込み口を閉じる溝閉じ部材であるゴム部材２２，２８が個々に設けられている。軸着端１２ａ，１４ａには、竿受け溝２０，２６側と反対向きに一対の脚部２４，３０が延設されている。横置き設置で使用する際には、釣り竿の中途部が竿受け溝２０で支持され、釣り竿の握り部が、他方の竿受け溝２６及びゴム部材２８に囲まれた内側部分に保持される。【選択図】図１
0003156820.tif 000002
【実用新案登録請求の範囲】
【請求項１】
互いに対向配置された第一の立板及び第二の立板と、前記第一及び第二の立板を連結する連結部材とを備え、前記第一の立板及び前記第二の立板の端部が、前記連結部材の両端部に各々内方向に折り曲げ可能に軸着され、
前記第一の立板には、前記連結部材に軸着された一端である軸着端と反対側の端面である受端面の一部を切り込んで形成された竿受け溝と、前記竿受け溝の切り込み口を閉じる溝閉じ部材と、前記軸着端の両端部分に前記竿受け溝側と反対向きに延設された一対の脚部とが設けられ、
前記第二の立板には、前記連結部材に軸着された一端である軸着端と反対側の端面である受端面の一部を切り込んで形成された竿受け溝と、前記竿受け溝の切り込み口を閉じる溝閉じ部材と、前記軸着端の両端部分に前記竿受け溝側と反対の向きに延設された一対の脚部とが設けられ、
前記第一及び第二の立板が互いの前記脚部で自立する横置き設置で使用された際には、釣り竿の中途部が、前記第一及び第二の立板のいずれか一方の前記竿受け溝で支持され、釣り竿の握り部が、他方の立板の前記竿受け溝及び前記溝閉じ部材に囲まれた内側部分に保持され、
前記第一の立板の外側面が地面に接地し、前記第二の立板が内向きに折り曲げられ、前記連結部材が縦方向に自立する縦置き設置で使用された際には、釣り竿の中途部が、前記第二の立板の前記一対の脚部及び前記軸着端で囲まれた部分で支持され、釣り竿の握り部が、第一の立板の前記竿受け溝及び前記溝閉じ部材で囲まれた内側部分で保持されることを特徴とする釣り竿保持具。
【請求項２】
前記溝閉じ部材は、前記竿受け溝の切り込み幅の寸法よりも長い帯状体であって、長さ方向の一対の端部が前記竿受け溝の切り込み口に張り渡されたゴム部材であり、
釣り竿の中途部を前記竿受け溝で保持するときは、当該竿受け溝に取り付けられた前記ゴム部材は、当該竿受け溝の内側に収められ、
釣り竿の握り部を前記竿受け溝及びその切り込み口に取り付けられた前記ゴム部材に囲まれた内側部分に保持するときは、当該竿受け溝に取り付けられた前記ゴム部材を当該竿受け溝の外側に引き出して使用される請求項１記載の釣り竿保持具。
【請求項３】
前記第一の立板の前記軸着端と前記受端面との間の距離は、前記第二の立板の前記軸着端と前記受端面との間の距離と異なることを特徴とする請求項１又は２記載の釣り竿保持具。
【請求項４】
前記第一の立板には、横置き設置で使用されたとき、釣り竿の握り部が前記第一の立板の受端面から所定の距離以上離れないように当該握り部を係止する係止部を有する第一の竿受けフックが設けられ、前記第一の竿受けフックは、前記所定の距離を調節自在に取り付けられている請求項３記載の釣り竿保持具。
【請求項５】
前記第二の立板には、横置き設置で使用されたとき、釣り竿の中途部が前記第二の立板の受端面に所定の距離以上近づかないように当該中途部を係止する係止部を有する第二の竿受けフックが設けられ、前記第二の竿受けフックは、前記所定の距離を調節自在に取り付けられている請求項３又は４記載の釣り竿保持具。
【請求項６】
前記第一及び第二の立板の前記脚部の側面部分に、細長のスライドプレートが個々に配置され、前記スライドプレートは、前記脚部の延設方向にスライド移動し、前記脚部の先端からの突出長さを調節できるよう取り付けられた請求項１乃至３のいずれか記載の釣り竿保持具。
【請求項７】
前記第一の立板、前記第二の立板、又は前記連結部材のいずれかの部分に、前記連結部材に係着されたロープを張って釣り場に固定するための断面Ｌ字形のアンカー用金具が着脱自在に装着されている請求項１乃至３のいずれか記載の釣り竿保持具。
【考案の詳細な説明】
【技術分野】
【０００１】
この考案は、釣り場に仕掛けた釣り竿を所定の角度で保持する携帯用の釣り竿保持具に関する。
【背景技術】
【０００２】
従来の釣り竿保持具として、例えば、特許文献１に開示されているように、複数の板状部材を、蝶番を介して折り畳み自在に組み合わせて成る携帯式釣竿掛け兼用腰掛けがある。この携帯式釣竿掛け兼用腰掛けは、釣り竿の中途部を、基台の前方に起立する前立板の柵の上端面に設けた凹所で支持し、釣り竿の握り部を、基台の後方に起立する後立板の根元部分に設けられた引掛孔に引掛けて保持するものである。
【０００３】
また、特許文献２に開示されているように、矩形のクーラーボックス等の側面に取り付けて使用される板状の固定部材と、その固定部材の表面の複数箇所に取り付けられたリング形又はＣ字形の形状の竿受けとで構成された釣り竿保持具がある。この釣り竿保持具は、複数の竿受けの中から任意の２つを選択し、釣り竿の中途部と握り部を個々に装着して保持させるものである。
【０００４】
また、特許文献３に開示されているように、基台の両側に、上下動する位置調節板が一対に取り付けられ、その位置調節板の下側両端に、回動する支持脚が取り付けられ、竿受け棒が基台の上方を旋回可能に固定された竿受け装置がある。この竿受け装置は、位置調節板の上下動と、各支持脚の回動により基台４隅の支持高さを調節することによって、段差のある釣り場にも設置することができる。
【先行技術文献】
【特許文献】
【０００５】
【特許文献１】特公昭６１−１３７７０号公報
【特許文献２】特開平１０−２４３７６３号公報
【特許文献３】特開平５−２２７８６８号公報
【考案の概要】
【考案が解決しようとする課題】
【０００６】
しかし、特許文献１の携帯式釣竿掛け兼用腰掛けは、釣り竿を斜め上方の特定の向きにしか保持することができず、保持する角度を調節できる範囲が狭い。さらに、足場の悪い場所に設置することは困難なものである。
【０００７】
特許文献２の釣り竿保持具は、矩形のクーラーボックス等に取り付けて使用されるため、上記の携帯式釣竿掛け兼用腰掛けと同様に、テトラポットや岩場等の足場の悪い場所に設置することが困難である。さらに、クーラーボックス程度の外形と重量の構造体で釣り竿を保持するため、比較的小形で軽量の釣り竿にしか使用することができない。
【０００８】
特許文献３の竿受け装置は、釣り竿を斜め上方から水平までの比較的狭い範囲しか角度調節をすることができない。さらに、基台の水平度や高さを調節する際には、１つの位置調節板に複数本の支持脚が固定されている構造のため、個々の支持脚ごとに高さの調節を行うことができず、釣り場の高低差の具合によって安定に設置することができないことがある。
【０００９】
この考案は、上記背景技術に鑑みて成されたもので、釣り竿を斜め下方から上方まで自由な角度で保持することができる釣り竿保持具を提供することを目的とする。
【課題を解決するための手段】
【００１０】
この考案は、互いに対向配置された第一の立板及び第二の立板と、前記第一及び第二の立板を連結する連結部材とを備え、前記第一の立板及び前記第二の立板の端部が、前記連結部材の両端部に各々内方向に折り曲げ可能に軸着され、
前記第一の立板には、前記連結部材に軸着された一端である軸着端と反対側の端面である受端面の一部を切り込んで形成された竿受け溝と、前記竿受け溝の切り込み口を閉じる溝閉じ部材と、前記軸着端の両端部分に前記竿受け溝側と反対向きに延設された一対の脚部とが設けられ、
前記第二の立板には、前記連結部材に軸着された一端である軸着端と反対側の端面である受端面の一部を切り込んで形成された竿受け溝と、前記竿受け溝の切り込み口を閉じる溝閉じ部材と、前記軸着端の両端部分に前記竿受け溝側と反対の向きに延設された一対の脚部とが設けられた釣り竿保持具である。
【００１１】
そして、前記第一及び第二の立板が互いの前記脚部で自立する横置き設置で使用された際には、釣り竿の中途部が、前記第一及び第二の立板のいずれか一方の前記竿受け溝で支持され、釣り竿の握り部が、他方の立板の前記竿受け溝及び前記溝閉じ部材に囲まれた内側部分に保持され、
前記第一の立板の外側面が地面に接地し、前記第二の立板が内向きに折り曲げられ、前記連結部材が縦方向に自立する縦置き設置で使用された際には、釣り竿の中途部が、前記第二の立板の前記一対の脚部及び前記軸着端で囲まれた部分で支持され、釣り竿の握り部が、第一の立板の前記竿受け溝及び前記溝閉じ部材で囲まれた内側部分で保持される釣り竿保持具である。
【００１２】
また、前記溝閉じ部材は、前記竿受け溝の切り込み幅の寸法よりも長い帯状体であって、長さ方向の一対の端部が前記竿受け溝の切り込み口に張り渡されたゴム部材であり、
釣り竿の中途部を前記竿受け溝で保持するときは、当該竿受け溝に取り付けられた前記ゴム部材は、当該竿受け溝の内側に収められ、釣り竿の握り部を前記竿受け溝及びその切り込み口に取り付けられた前記ゴム部材に囲まれた内側部分に保持するときは、当該竿受け溝に取り付けられた前記ゴム部材を当該竿受け溝の外側に引き出して使用される。
【００１３】
また、前記第一の立板の前記軸着端と前記受端面との間の距離は、前記第二の立板の前記軸着端と前記受端面との間の距離と異なるように設定してもよい。そして、前記第一の立板には、横置き設置で使用されたとき、釣り竿の握り部が前記第一の立板の受端面から所定の距離以上離れないように当該握り部を係止する係止部を有する第一の竿受けフックが設けられ、前記第一の竿受けフックは、前記所定の距離を調節自在に取り付けられている。また、前記第二の立板には、横置き設置で使用されたとき、釣り竿の中途部が前記第二の立板の受端面に所定の距離以上近づかないように当該中途部を係止する係止部を有する第二の竿受けフックが設けられ、前記第二の竿受けフックは、前記所定の距離を調節自在に取り付けられている。
【００１４】
また、前記第一及び第二の立板の前記脚部の側面部分に、細長のスライドプレートが個々に配置され、前記スライドプレートは、前記脚部の延設方向にスライド移動し、前記脚部の先端からの突出長さを調節できるよう取り付けられている。
【００１５】
また、前記第一の立板、前記第二の立板、又は前記連結部材のいずれかの部分に、前記連結部材に係着されたロープを張って釣り場に固定するための断面Ｌ字形のアンカー用金具が着脱自在に装着されている。
【考案の効果】
【００１６】
本考案の釣り竿保持具は、横置き設置又は縦置き設置の選択と、竿受けフックによる係止位置の調節等により、釣り竿を斜め下方から垂直に近い上方まで自由な角度で安定に保持することができる。しかも、釣り竿保持具を使用しないときは、２つの立板を連結部材に重なるように折り畳むことによってコンパクトな外形になり、持ち運びに便利で保管する際にも場所をとらない。
【００１７】
また、各脚部の側面部分に設けられたスライドプレートの位置を変更することによって脚部先端からの突出長さを個別に調節することができるので、段差のある足場の悪い場所でも容易に横置き設置することができ、平坦な地面に設置するのと同様に使用することができる。
【００１８】
また、釣り竿保持具にアンカー用金具が装着されているので、釣り竿保持具をロープ等を用いて地面に固定するのに便利である。従って、釣り場を離れるとき等に使用すれば、魚の引きがあっても釣り竿が引き込まれないようにすることができて安心である。
【図面の簡単な説明】
【００１９】
【図１】この考案の第一の実施形態の釣り竿保持具を組み立てた状態を示す斜視図である。
【図２】第一の実施形態の釣り竿保持具を折り畳んだ状態を示す斜視図である。
【図３】第一の実施形態の釣り竿保持具を横置き設置したときの第一の使用例を説明する正面図（ａ）、左側面図（ｂ）、及び右側面図（ｃ）である。
【図４】第一の実施形態の釣り竿保持具を横置き設置したときの第二の使用例を説明する正面図（ａ）、左側面図（ｂ）、及び右側面図（ｃ）である。
【図５】第一の実施形態の釣り竿保持具を縦置き設置したときの使用例を説明する正面図（ａ）、及び右側面図（ｂ）である。
【図６】この考案の釣り竿保持具の第二の実施形態を示す部分断面図（ａ）、及びアンカー用金具を示す斜視図（ｂ）である。
【図７】第二の実施形態の釣り竿保持具が地面に固定された様子を示す部分断面図である。
【図８】溝閉じ部材の変形例を示す正面図である。
【考案を実施するための形態】
【００２０】
以下、この考案の釣り竿保持具の第一の実施形態について、図面に基づいて説明する。この実施形態の釣り竿保持具１０は、図１に示すように、互いに対向配置された第一の立板１２及び第二の立板１４と、２つの立板１２，１４を連結する厚板状の連結部材１６を備えている。第一の立板１２と第二の立板１４の端部は、連結部材１６の両端部に、ヒンジ１８を介して各々内方向に折り曲げ可能に軸着されている。これらの板材の材質は、木、合成樹脂、金属などから自由に選択することができる。
【００２１】
第一の立板１２は略矩形の外形を有し、連結部材１６に軸着された軸着端１２ａの反対側の端面である受端面１２ｂの外寄りの２か所に、竿受け溝２０が設けられている。竿受け溝２０の切り込みの深さと幅の寸法は、保持する釣り竿の中途部や握り部の直径よりもゆとりを持って大きい。竿受け溝２０の切り込み口は、溝閉じ部材であるゴム部材２２で閉じられている。ゴム部材２２は、竿受け溝２０の切り込み幅の寸法よりも長い帯状体で、長さ方向の一対の端部が竿受け溝２０の切り込み口に張り渡されている。一方、軸着端１２ａの両端に、竿受け溝２０側と反対向きに、互いに長さが等しい一対の脚部２４が延設されている。
【００２２】
第二の立板１４も、第一の立板１２と同様に略矩形の外形を有し、連結部材１６に軸着された軸着端１４ａの反対側の端面である受端面１４ｂの外寄りの２か所に、竿受け溝２６が設けられている。竿受け溝２６の切り込みの深さと幅の寸法は、保持する釣り竿の中途部や握り部の直径よりもゆとりを持って大きい。竿受け溝２６の切り込み口は、溝閉じ部材であるゴム部材２８で閉じられている。ゴム部材２８は、竿受け溝２６の切り込み幅の寸法よりも長い帯状体で、長さ方向の一対の端部が竿受け溝２６の切り込み口に張り渡されている。一方、軸着端１４ａの両端に、竿受け溝２６側と反対向きに、互いに長さが等しい一対の脚部３０が延設されている。ここで、第二の立板１４の軸着端１４ａと受端面１４ｂとの間の距離は、第一の立板１２の軸着端１２ａと受端面１２ｂとの間の距離よりも短めに設定されている。
【００２３】
また、第一の立板１２の受端面１２ｂは、中央部分に略矩形の窪み３２が設けられ、その底部にある穴３２ａに、金属製の第一の竿受けフック３４の差し込み部３４ａが差し込まれ、楔３８によって固定されている。第一の竿受けフック３４は、Ｕ形に形成された係止部３４ｂと、Ｕ形の一方の端部をそのまま真っ直ぐに延長した差し込み部３４ａを有している。係止部３４ａのＵ形の深さと幅は、釣り竿の握り部の直径よりもゆとりを持って大きい。
【００２４】
第二の立板１４の受端面１４ｂも、中央部分に穴３３が開けられ、穴３３に金属製の第二の竿受けフック３６の差し込み部３６ａが差し込まれ、楔３８によって固定されている。第二の竿受けフック３６は、Ｕ形に形成された係止部３６ｂと、そのＵ形の一方の端部から逆方向に真っ直ぐに延長した差し込み部３６ａを有している。係止部３６ｂのＵ形の深さと幅は、釣り竿の握り部の直径よりもゆとりを持って大きい。
【００２５】
第一の立板１２と第二の立板１４は、軸着端１２ａ，１４ａで連結部材１６の両端にヒンジ１８を介して各々軸着されているので、第一及び第二の竿受けフック３４，３６と楔３８を取り外し、ゴム部材２２，２８を竿受け溝２０又は２６の内側に収めることによって、図２に示すように、第一の立板１２と第二の立板１４が連結部材１６に重なるように薄く折り畳むことができる。従って、釣り竿保持具１０を使用しないときは、図２のように外形がコンパクトになるので、持ち運びや保管をするときに便利である。
【００２６】
次に、釣り竿保持具１０を、釣り場のほぼ平坦な地面の上に横置き設置する使用方法について説明する。横置き設置とは、第一及び第二の立板１２，１４が互いの脚部２４，３０で自立する設置状態を言い、横置き設置による第一の使用例を図３を用いて説明する。この第一の使用例では、釣り竿２の中途部２ａを第一の立板１２の竿受け溝２０で支持し、握り部２ｂを第二の立板１４の竿受け溝２６とその竿受け溝２６に取り付けられたゴム部材２８に囲まれた内側部分で保持する。従って、第一の立板１２の受端面１２ｂの地面からの高さが、第二の立板１４の受端面１４ｂの高さより高いので、釣り竿２が斜め上方を向く角度に保持することができる。このとき、釣り竿２の中途部２ａは、第一の立板１２の竿受け溝２０内に収容されたゴム部材２２を介して支持されるのが通常の使用方法であるが、当該中途部２ａの位置にリール４が取り付けられているときは、リール４の側面が竿受け溝２０の切り込み口に当接して支持されるように使用してもよい。
【００２７】
次に、釣り竿保持具１０の横置き設置による第二の使用例を図４に示す。第二の使用例では、釣り竿２の中途部２ａを第二の立板１４の受端面１４ｂに取り付けられた第二の竿受けフック３６の係止部３６ｂで支持し、握り部２ｂを第一の立板１２の受端面１２ｂのくぼみ３２に取り付けられた第一の竿受けフック３４の係止部３４ｂで下向きに支持する。ここでは、第二の竿受けフック３６の係止部３６ｂの地面からの高さが、第一の竿受けフック３４の係止部３４ｂの高さよりも低くなるように調節されているので、釣り竿２が斜め下方を向く角度に保持することができる。
【００２８】
第一及び第二の竿受けフック３４，３６は、差し込み部３４ａ，３６ａを穴３２ａ，３３等に差し込む深さを調節すれば、係止部３４ｂ，３６ｂの高さを変更することができ、釣り竿２を保持する角度を自在に調節することができる。ただし、特に角度の微調整を行う必要がないとき等は、第一及び第二の竿受けフック３４，３６を使用しなくてもよい。すなわち、釣り竿２の中途部２ａを第二の立板１４の竿受け溝２６で支持し、握り部２ｂを第一の立板１２の竿受け溝２０とその竿受け溝２０に取り付けられたゴム部材２２に囲まれた内側部分で保持する。従って、ここでは、第一の立板１２の受端面１２ｂの地面からの高さが、第二の立板１４の受端面１４ｂの高さより高いので、釣り竿２を斜め下方を向いた一定の所定の角度に保持することができる。また、上記の中間的な使用方法として、第一又は第二の竿受けフック２ａ，２ｂのいずれか一方だけを取り付けて、下向きの角度調節を行うことも可能である。
【００２９】
次に、釣り竿保持具１０を、釣り場のほぼ平坦な地面の上に縦置き設置する使用方法について、図５に基づいて説明する。縦置き設置とは、第一の立板１２の外側面が地面に接地し、第二の立板１４がヒンジ１８を介して内向きに折り曲げられ、連結部材１６が縦方向に自立する設置状態をいう。この場合、釣り竿２の中途部２ａを第二の立板１４の一対の脚部３０及び軸着端１４ａで囲まれた部分で支持し、握り部２ｂを第一の立板１２の竿受け溝２０及びゴム部材２２で囲まれた内側部分で保持する。従って、釣り竿２を垂直に近い斜め上方の角度に保持することができる。このとき、第一の立板１２の受端面１２ｂの窪み３２に第一の竿受けフック３４を取り付け、釣り竿２の握り部２ｂを係止する係止部３４ｂの位置を適宜可変して、釣り竿２を保持する角度を調節することも可能である。
【００３０】
以上説明したように、釣り竿保持具１０は、横置き設置又は縦置き設置の選択や、第一及び第二の竿受けフック３４，３６の係止部３４ｂ，３６ｂの位置調節を行うことによって、釣り竿２を斜め下方から垂直に近い上方まで、自由な角度で安定に保持することができる。また、釣り竿保持具１０を使用しないときは、第一及び第二の立板１２，１４が連結部材１６に重なるように折り畳むことによってコンパクトな外形になり、持ち運びに便利で保管する際にも場所をとらない。
【００３１】
次に、この考案の第二の実施形態の釣り竿保持具４０について、図６、図７に基づいて説明する。ここで、上記の釣り竿保持具１０と同様の構成は、同一の符号を付して説明を省略する。釣り竿保持具４０は、図６（ａ）に示すように、釣り竿保持具１０の構成に加え、第一及び第二の立板１２，１４が有する４本の脚部２４，３０の側面部分に、スライドプレート４２が設けられている。また、連結部材１６には、中央部を厚み方向に貫通する貫通孔４４が形成され、左右側方に２つのアンカー用金具４６が取り付けられている。その他の構成は釣り竿保持具１０と同様である。
【００３２】
スライドプレート４２は、図６（ｂ）に示すように、中央に長穴４２ａが形成された細長で矩形外形の金属板である。スライドプレート４２は、図６（ａ）に示すように、４本の脚部２４，３０の側面先端部分に個々に配置され、長穴４２ａに挿通された固定ボルト４８によって、個々に締め付け固定されている。図６（ａ）の状態は、スライドプレート４２が脚部２４，３０の先端から突出しない位置に固定されているが、固定ボルト４８を緩めれば、スライドプレート４２がスライド自在な状態となり、脚部２４，３０の先端か所定長さだけ突出させ、固定ボルト４８で締め付けることによって、その位置に固定することができる。
【００３３】
アンカー用金具４６は、図６（ｃ）に示すように、細長の金属板が幅の中心線でＬ形に屈曲し、先端側が徐々に細くなって尖った金具であり、後端側の所定箇所に透孔４６ａが形成されている。アンカー用金具４６は、図６（ａ）に示すように、連結部材１６の左右の側面から下面にかけて連続形成された凹部５０に嵌め込まれ、透孔４６ａに挿通された固定ボルト５２によって着脱自在に取り付けられている。
【００３４】
次に、釣り竿保持具４０を、段差のある釣り場の地面の上に横置き設置する使用方法について、図７に基づいて説明する。連結部材１６の両端に連結された第一及び第二の立板１２，１４が互いに対向し、連結部材１６がほぼ水平になった状態で使用される様子は、上記の釣り竿保持具１０と同様である（図３及び図４）。釣り竿保持具４０は、４つの脚部２４，３０に取り付けられたスライドプレート４２の固定位置を個々に調節することによって、段差のある地面の上でも上記の横置き設置を適正に行うことがでる。すなわち、図７に示すように、地面の窪んだ所に配置される脚部（脚部２４又は３０）のスライドプレート４２は、当該脚部の先端からの突出長さが長くなる位置に固定し、地面が膨らんだ所に配置される脚部(脚部２４又は３０)のスライドプレート４２は、当該脚部の先端からの突出長さが短くなる位置に固定する。このような突出長さの調節を脚部ごとに行うことによって、適正な横置き設置が行われている。
【００３５】
また、図７の使用例では、大物の魚を狙うときや釣り場を離れるとき、魚の当たりがきて釣り竿が引き込まれないようにするため、ロープ５４を用いて連結部材１６を地面に固定してある。この使用例では、所定長さのロープ５４を用意し、その中央部に抜け止め片５６を係着しておき、ロープ５４の２つの端部を連結部１６の上面側から下面側に貫通孔４４を通して引き出し、２つのアンカー用金具４６の透孔４６ａに各々結び付ける。そして、アンカー用金具４６を地面に打ち込んでロープ５４を張れば、釣り竿保持具４０をしっかりと固定することができる。
【００３６】
以上説明したように、釣り竿保持具４０は、脚部２４，３０にスライドプレート４２が取り付けられ、脚部先端からの突出長さを個別に調節することができるので、段差のある足場の悪い場所でも容易に横置き設置することができ、平坦な地面に設置するのと同様に使用することができる。また、釣り竿保持具４０にアンカー用金具４６が一体に装着されているので、釣り竿保持具をロープで地面に固定したいときに、ペグなどの固定具を別個に用意する必要がなく、非常に便利である。
【００３７】
なお、この考案は、上記実施形態に限定されるものではない。竿受け溝の切り込み口を閉じる溝閉じ部材は、上述したゴム部材に代えて、様々な構造に変更することができる。例えば、図８に示すようなスライド式溝閉じ部材５８を使用してもよい。スライド式溝閉じ部材５８は、２つのカバー５８ａ，５８ｂと、その内側を摺動するスライド板５８ｃで構成され、カバー５８ａ，５８ｂは、受端面１２ｂの竿受け溝２０の切り込み口の両側に対峙して取り付けられ、スライド板５８ｃをスライド移動することによって当該切り込み口を開閉することができる。このようなスライド式溝閉じ部材５８を使用すれば、上記のゴム部材と同様に、コンパクトな溝閉じ部材を構成することができる。
【００３８】
また、上述した釣り竿保持具１０，４０は、最大３本の釣り竿を保持する構造であるが、例えば、竿受け溝や竿受けフックの数を増し、４本以上の釣り竿を保持することができる釣り竿保持具にしてもよい。
【００３９】
また、第一及び第二の立板の受端面は、必ずしも、連結部材の軸着端からの距離が一律に形成された平面である必要はない。例えば、階段状に設けた複数の平面を受端面とし、各平面ごとに竿受け溝等を設ける構成にすれば、釣り竿を保持させる竿受け溝を選択的に変更するだけで、釣り竿の保持角度を簡単に調節することができる。
【符号の説明】
【００４０】
２  釣り竿
２ａ  中途部
２ｂ  握り部
４  リール
１０，４０  釣り竿保持具
１２  第一の立板
１２ａ  軸着端
１２ｂ  受端面
１４  第二の立板
１４ａ  軸着端
１４ｂ  受端面
１６  連結部材
１８  ヒンジ
２０，２６  竿受け溝
２２，２８  ゴム部材
２４，３０  脚部
３４  第一の竿受けフック
３４ｂ  係止部
３６  第二の竿受けフック
３６ｂ  係止部
４２  スライドプレート
４２ａ  長穴
４６  アンカー用金具
４６ａ  透孔
５４  ロープ
【図１】
0003156820.tif 000003
【図２】
0003156820.tif 000004
【図３】
0003156820.tif 000005
【図４】
0003156820.tif 000006
【図５】
0003156820.tif 000007
【図６】
0003156820.tif 000008
【図７】
0003156820.tif 000009
【図８】
0003156820.tif 000010